(57)【要約】【課題】カメラ本体に対して表示ユニットを回転させた際に、ヒンジ機構の回転軸に巻き付けたフレキシブル基板の巻き付け端が一対のカバー部材の接合部に引っ掛かるのを防止することができるデジタルビデオカメラを提供する。【解決手段】デジタルビデオカメラは、カメラ本体に対して表示ユニットを回転可能に支持するヒンジ機構の回転軸２１にカメラ本体の基板と表示ユニットの基板とを接続するフレキシブル基板１８の中継部が巻き付けられる。回転軸２１及びフレキシブル基板１８は、一対のカバー部材３０，３１により回転軸２１の径方向に挟み込まれ、一対のカバー部材３０，３１の接合部は、回転軸２１の軸方向から見て、接合部にフレキシブル基板１８の巻き付け端が達した位置において、巻き付け端の指向方向４０と直交する線に対して指向方向と逆方向に傾斜する線４１に沿って配置される。【選択図】図７
2012124414.tif 000002
【特許請求の範囲】
【請求項１】
機器本体と、
前記機器本体にヒンジ機構の回転軸を介して回転可能に支持される可動部と、
前記機器本体の基板と前記可動部の基板とを接続するとともに、中継部が前記回転軸に巻き付けられるフレキシブル基板と、
前記回転軸及び前記フレキシブル基板を前記回転軸の径方向に挟み込むように配置される一対のカバー部材と、を備え、
前記一対のカバー部材の接合部は、前記回転軸の軸方向から見て、前記接合部に前記フレキシブル基板の巻き付け端が達した位置において、前記巻き付け端の指向方向と直交する線に対して前記指向方向と逆方向に傾斜する線に沿うように形成されることを特徴とする電子機器。
【請求項２】
前記ヒンジ機構は、前記可動部を前記機器本体に対して開閉可能に支持する第１の回転軸と、前記可動部を開状態で回転可能に支持する第２の回転軸とを有し、前記フレキシブル基板の前記中継部は、前記第２の回転軸に巻き付けられることを特徴とする請求項１に記載の電子機器。
【請求項３】
前記可動部は、表示ユニットであることを特徴とする請求項１又は２に記載の電子機器。
【発明の詳細な説明】
【技術分野】
【０００１】
本発明は、例えば、デジタルビデオカメラや携帯電話機等の電子機器に関する。
【背景技術】
【０００２】
デジタルビデオカメラや携帯電話機等の電子機器では、機器本体にヒンジ機構の回転軸を介して表示ユニットが回転可能に支持されるものがある。このような電子機器では、機器本体と表示ユニットとの間で信号等の授受を行う場合、コスト面で有利であるフレキシブル基板を用いて機器本体と表示ユニットとを接続することが多い（特許文献１）。
【０００３】
この場合、図９に示すように、ヒンジ機構の回転軸２１にフレキシブル基板１８の中継部を巻き付け、巻き付けたフレキシブル基板１８とヒンジ機構を一対のカバー部材５０，５１で回転軸２１の径方向に挟み込むようにしている。これにより、ヒンジ機構やフレキシブル基板１８が外部に露出しないようにしている。
【先行技術文献】
【特許文献】
【０００４】
【特許文献１】特開２００３−１３３７６４号公報
【発明の概要】
【発明が解決しようとする課題】
【０００５】
ところで、機器本体に対して表示ユニットを回転させると、回転軸２１に巻き付けられたフレキシブル基板１８の余長が調整され、フレキシブル基板１８の巻き付け端が一対のカバー部材５０，５１の内周部を回転移動する。
【０００６】
しかし、上記従来の技術では、一対のカバー部材５０，５１の接合部は、回転軸２１の軸方向から見て、接合部にフレキシブル基板１８の巻き付け端が達した位置において、巻き付け端の指向方向４０に対して直交する方向に沿って配置されている。
【０００７】
このため、表示ユニットを回転させた際に、フレキシブル基板１８の巻き付け端が一対のカバー部材５０，５１の接合部に引っ掛かりやすく、引っ掛かった状態で更に表示ユニットを回転させると、フレキシブル基板１８の信号線に損傷を与える可能性がある。
【０００８】
そこで、本発明は、機器本体に対して可動部を回転させた際に、ヒンジ機構の回転軸に巻き付けたフレキシブル基板の巻き付け端が一対のカバー部材の接合部に引っ掛かるのを防止することができる電子機器を提供することを目的とする。
【課題を解決するための手段】
【０００９】
上記目的を達成するために、本発明の電子機器は、機器本体と、前記機器本体にヒンジ機構の回転軸を介して回転可能に支持される可動部と、前記機器本体の基板と前記可動部の基板とを接続するとともに、中継部が前記回転軸に巻き付けられるフレキシブル基板と、前記回転軸及び前記フレキシブル基板を前記回転軸の径方向に挟み込むように配置される一対のカバー部材と、を備え、前記一対のカバー部材の接合部は、前記回転軸の軸方向から見て、前記接合部に前記フレキシブル基板の巻き付け端が達した位置において、前記巻き付け端の指向方向と直交する線に対して前記指向方向と逆方向に傾斜する線に沿うように形成されることを特徴とする。
【発明の効果】
【００１０】
本発明によれば、機器本体に対して可動部を回転させた際に、ヒンジ機構の回転軸に巻き付けたフレキシブル基板の巻き付け端が一対のカバー部材の接合部に引っ掛かるのを防止することができる。
【図面の簡単な説明】
【００１１】
【図１】本発明の電子機器の実施形態の一例であるデジタルビデオカメラの斜視図である。
【図２】図１に示すデジタルビデオカメラの表示ユニットを開いた状態を示す斜視図である。
【図３】表示ユニットの外装カバーを取り外した状態を示す斜視図である。
【図４】表示ユニット、フレキシブル基板、及び一対のカバー部材を取り外した状態を示す斜視図である。
【図５】図３を回転軸の軸方向から見た図である。
【図６】表示ユニットを回転軸を中心に図２の状態から１８０°回転させてカメラ本体に収納した状態を示す斜視図である。
【図７】回転軸とフレキシブル基板と一対のカバー部材との関係を説明するための概略図である。
【図８】一対のカバー部材の接合部にフレキシブル基板の巻き付け端が到達した状態を示す斜視図である。
【図９】従来例を説明するための概略図である。
【発明を実施するための形態】
【００１２】
以下、本発明の実施形態の一例を図面を参照して説明する。
【００１３】
図１は本発明の電子機器の実施形態の一例であるデジタルビデオカメラの斜視図、図２は図１に示すデジタルビデオカメラの表示ユニットを開いた状態を示す斜視図である。
【００１４】
図１及び図２に示すように、本実施形態のデジタルビデオカメラは、カメラ本体１１に表示ユニット１５が２軸ヒンジ機構２０（図４参照）の回転軸線Ｘを中心に開閉可能に支持されている。また、表示ユニット１５は、開状態で、カメラ本体１１に対して、２軸ヒンジ機構２０の回転軸線Ｙを中心に回転可能に支持されている。ここで、カメラ本体１１は、本発明の機器本体の一例に相当し、表示ユニット１５は、本発明の可動部の一例に相当する。
【００１５】
カメラ本体１１には、ズームレバー１２、レリーズボタン１３、及びトリガーボタン１４が設けられている。また、カメラ本体１１の内部には、画像や音声を記録したり再生したりする記録再生部が設けられている。
【００１６】
図３は、表示ユニット１５の外装カバー１６を取り外した状態を示す斜視図である。図３に示すように、表示ユニット１５に設けられた基板１７とカメラ本体１１に設けられた基板（不図示）とは、信号等の授受を行うために、フレキシブル基板１８で接続されている。また、２軸ヒンジ機構２０（図４）及びフレキシブル基板１８は、一対のカバー部材３０，３１により挟み込まれて外部に露出しないようになっている。
【００１７】
図４は、表示ユニット１５、フレキシブル基板１８、及びカバー部材３０，３１を取り外した状態を示す斜視図である。図４に示すように、２軸ヒンジ機構２０は、表示ユニット１５を回転軸線Ｘ（図２）を中心に開閉可能に支持するための第１の回転軸（不図示）と、表示ユニット１５を開状態で回転軸線Ｙ（図２）を中心に回転可能に支持するための第２の回転軸２１を有する。
【００１８】
図５は図３を第２の回転軸２１（以下、回転軸２１という。）の軸方向から見た図、図６は表示ユニット１５を回転軸２１の回転軸線Ｙを中心に図２の状態から１８０°回転させてカメラ本体１１に収納した状態を示す斜視図である。図５に示すように、一対のカバー部材３０，３１は、２軸ヒンジ機構２０の回転軸２１及びフレキシブル基板１８を回転軸２１の径方向に挟み込むように配置されている。
【００１９】
また、回転軸２１には、フレキシブル基板１８の中継部が巻き付けられている。これにより、表示ユニット１５が、図６に示すように、表示面を外側に向けてカメラ本体１１に収納されても、フレキシブル基板１８に余長を持たせてフレキシブル基板１８による表示ユニット１５側の基板１７とカメラ本体１１側の基板との接続を保証している。
【００２０】
図７は、回転軸２１とフレキシブル基板１８と一対のカバー部材３０，３１との関係を説明するための概略図である。図７に示すように、回転軸２１の軸方向から見て、カバー部材３０，３１の接合部は、接合部にフレキシブル基板１８の巻き付け端が達した位置において、巻き付け端の指向方向４０と直交する線に対し指向方向４０と逆方向に傾斜する線４１に沿うように形成される。即ち、一対のカバー部材３０，３１の接合部とフレキシブル基板１８の巻き付け端の指向方向４０とのなす角度αが鋭角に設定されている。
【００２１】
表示ユニット１５を回転軸２１を介して回転させると、フレキシブル基板１８の巻き付け部分の余長が調整されるが、それに伴いフレキシブル基板１８の巻き付け端も一対のカバー部材３０，３１の内周部を回転移動する。
【００２２】
図８は、一対のカバー部材３０，３１の接合部にフレキシブル基板１８の巻き付け端が到達した状態を示す斜視図である。ここで、本実施形態では、上述したように、一対のカバー部材３０，３１の接合部と指向方向４０とのなす角度αが鋭角に設定されている。従って、表示ユニット１５を回転軸２１を介して回転させた際に、一対のカバー部材３０，３１の接合部にフレキシブル基板１８の巻き付け端が引っ掛かることはなく、フレキシブル基板１８の信号線が損傷することはない。
【００２３】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００２４】
１１  カメラ本体
１５  表示ユニット
１８  フレキシブル基板
２０  ２軸ヒンジ機構
２１  回転軸
３０  カバー部材
３１  カバー部材
【図１】
2012124414.tif 000003
【図２】
2012124414.tif 000004
【図３】
2012124414.tif 000005
【図４】
2012124414.tif 000006
【図５】
2012124414.tif 000007
【図６】
2012124414.tif 000008
【図７】
2012124414.tif 000009
【図８】
2012124414.tif 000010
【図９】
2012124414.tif 000011